(57)【要約】【課題】少なくとも駐車動作中は後方撮影カメラの映像を表示し続けることで、スムーズな駐車を支援するナビゲーション装置を提供することである。【解決手段】車両に搭載されるナビゲーション装置であって、車両に搭載され該車両の後退時に該車両の後方映像を撮影する後方撮影カメラから画像信号を受け表示部に表示するナビゲーション装置において、現在地が予め登録された地点に位置する場合、受信した後退ギア信号に基づき、後方撮影カメラで撮影された画像の表示を開始し、受信した信号に基づき後退ギアから後退ギア以外に変更されたと判定しても後方撮影カメラで撮影された画像の表示を継続する制御部を備えた構成とする。【選択図】図１
2012093229.tif 000002
【特許請求の範囲】
【請求項１】
車両に搭載されるナビゲーション装置であって、車両に搭載され該車両の後退時に該車両の後方画像を撮影する後方撮影カメラから画像信号を受けて表示部に表示するナビゲーション装置において、
特定した現在位置が予め登録された地点に位置する場合、受信した後退ギア信号に基づき、前記後方撮影カメラで撮影された画像の表示を開始し、受信した信号に基づき後退ギアから後退ギア以外に変更されたと判定しても前記後方撮影カメラで撮影された画像の表示を継続する制御部を備えたことを特徴とするナビゲーション装置。
【請求項２】
前記予め登録された地点は、駐車場であることを特徴とする請求項１記載のナビゲーション装置。
【請求項３】
前記予め登録された地点は、経路案内時の目的地であることを特徴とする請求項１又は２記載のナビゲーション装置。
【請求項４】
前記予め登録された地点は、店舗であることを特徴とする請求項１〜３の何れかに記載のナビゲーション装置。
【請求項５】
前記予め登録された地点は、ユーザが登録した地点であることを特徴とする請求項１〜４の何れかに記載のナビゲーション装置。
【請求項６】
前記ユーザが登録した地点は、自宅又は勤務先であることを特徴とする請求項５記載のナビゲーション装置。
【請求項７】
前記後退ギアとは、車両を後退させる際に選択されるシフトレバー位置に対応したギアであり、前記後退ギア以外とは、前記車両を前進させる際に選択されるシフトレバー位置に対応したギア、又は前記車両を停車させる際に選択される位置に対応したギアであることを特徴とする請求項１〜６の何れかに記載のナビゲーション装置。
【請求項８】
前記制御部は、シフトレバーの位置が前記車両を停車させる際に選択される位置にされた場合、ナビゲーション装置の操作がされた場合、エンジンが停止された場合、所定速度以上で前進した場合、又は現在地が前記予め登録された地点から外れた場合に前記後方撮影カメラで撮影された画像の表示を解除することを特徴とする請求項１〜７の何れかに記載のナビゲーション装置。
【発明の詳細な説明】
【技術分野】
【０００１】
本発明は、後方撮影カメラで撮影した画像を表示するナビゲーション装置に関する。
【背景技術】
【０００２】
従来から、バックカメラを連動させたナビゲーション装置が供給されている。この種のナビゲーション装置は、シフトレバーの位置（以下、シフト位置）がＤ（ドライブ）のときに現在地を重畳した地図を表示し、シフト位置がＲ（リバース）にされるとバックカメラの映像に切り替える機能を備えている。
【０００３】
実際に駐車場にバックで駐車させる場合、一度シフトをＲに入れただけでは駐車できず、シフトをＤに入れたりＲに入れたりして切り返すことが多い。このような切り返し時には、シフト位置に応じてバックカメラの映像と地図表示とが頻繁に切り替わることになる。しかし、ユーザにとっては切り返し時にはバックカメラの映像だけ表示される方が使い勝手がよいといえる。
【０００４】
また、一般的にバックカメラと地図表示とが切り替わる際には、１秒弱程度、黒画が表示されたり、画像が止まったりするタイムラグが発生するので、ユーザにとっては煩わしく、スムーズに駐車が行えないという問題もある。そこで、これらの問題を解決しようとする技術が提案されている。
【０００５】
例えば、特許文献１の車両の後方確認装置では、変速機のギアレバー操作によってバックに入ると、優先切換手段の作動に伴って後方確認のための映像が表示手段に表れ、その後、バックから外された後も、設定した時間内は上記映像が強制的に表示手段に表れるようになっている。また特許文献１には、車両の後退動作に入った直後、ギアが第１速段階になっている間を通じて後方確認のための映像を表示することが開示されている。また特許文献１には、車両の後退動作に入った直後、車両が設定される前進速度になるまでは後方確認のための映像が連続して表示されることが開示されている。
【０００６】
また、特許文献２には、シフトレバーがバック位置に入ると駐車走行状態であると判定すると共に、その後バック位置からバック位置以外に変更されてから所定期間経過するまで又は車速が設定車速を超えるまでは駐車走行状態であると判定し、後方映像を表示する後方監視装置が開示されている。
【先行技術文献】
【特許文献】
【０００７】
【特許文献１】実開平５−３４０４９号公報
【特許文献２】特開平１０−２１７８５２号公報
【発明の概要】
【発明が解決しようとする課題】
【０００８】
特許文献１及び２の何れの技術も、切り返しなどの駐車動作中であるか否かの判定をギアの位置や車速などから間接的に判別するものである。したがって、必ずしも的確な判定であるとは限らず、実際の使用には不都合が生じるおそれもある。
【０００９】
本発明は、少なくとも駐車動作中は後方撮影カメラの映像を表示し続けることで、スムーズな駐車を支援するナビゲーション装置を提供することを目的とする。
【課題を解決するための手段】
【００１０】
上記目的を達成するために本発明は、車両に搭載されるナビゲーション装置であって、車両に搭載され該車両の後退時に該車両の後方映像を撮影する後方撮影カメラから画像信号を受け表示部に表示するナビゲーション装置において、
特定した現在位置が予め登録された地点に位置する場合、受信した後退ギア信号に基づき、前記後方撮影カメラで撮影された画像の表示を開始し、受信した信号に基づき後退ギアから後退ギア以外に変更されたと判定しても前記後方撮影カメラで撮影された画像の表示を継続する制御部を備えたことを特徴とする。
【００１１】
上記のナビゲーション装置において、前記予め登録された地点は、駐車場であることが望ましい。
【００１２】
また上記のナビゲーション装置において、前記予め登録された地点は、経路案内時の目的地であることが望ましい。
【００１３】
また上記のナビゲーション装置において、前記予め登録された地点は、店舗であることが望ましい。
【００１４】
また上記のナビゲーション装置において、前記予め登録された地点は、ユーザが登録した地点であることが望ましい。
【００１５】
前記ユーザが登録した地点は、例えば、自宅又は勤務先とすることが望ましい。
【００１６】
また上記のナビゲーション装置において、前記後退ギアとは、車両を後退させる際に選択されるシフトレバー位置に対応したギアであり、前記後退ギア以外とは、前記車両を前進させる際に選択されるシフトレバー位置に対応したギア、又は前記車両を停車させる際に選択される位置に対応したギアである。
【００１７】
また上記のナビゲーション装置において、前記制御部は、シフトレバーの位置が前記車両を停車させる際に選択される位置にされた場合、ナビゲーション装置の操作がされた場合、エンジンが停止された場合、所定速度以上で前進した場合、又は現在地が前記予め登録された地点から外れた場合に前記後方撮影カメラで撮影された画像の表示を解除する。
【発明の効果】
【００１８】
本発明によると、ナビゲーション装置は、現在地が予め登録された地点に位置し、かつ後退ギアが選択された場合、後方撮影カメラで撮影した画像の表示を開始し、後退ギアから後退ギア以外に変更されても後方撮影カメラで撮影した画像の表示を継続することにより、少なくとも駐車動作中は後方撮影カメラの映像を表示し続けることになり、スムーズな駐車を支援することができる。
【図面の簡単な説明】
【００１９】
【図１】本発明のナビゲーション装置の主要な構成を示すブロック図である。
【図２】本発明のナビゲーション装置における制御部１５が実行する切り返しモードに関する動作を示すフローチャートである。
【図３】現在地を地図に重畳して表示している画面例である。
【図４】後方撮影カメラ画像の画面例である。
【図５】黒画の画面例である。
【発明を実施するための形態】
【００２０】
図１は、本発明のナビゲーション装置の主要な構成を示すブロック図である。ナビゲーション装置１０は、車両搭載用であって、ＧＰＳ（Global Positioning System）衛星から受信した電波等に基づいて現在地（車両位置）を特定し、現在地をその付近の地図上に重ねて表示し、さらに目的地が設定されている場合は走行予定経路（誘導経路）に沿って車両を目的地まで案内（誘導）することを主たる機能としている。
【００２１】
ナビゲーション装置１０は、インターフェース部１４と、制御部１５と、記録媒体１９と、ドライブ部２０と、描画部２１と、表示制御部２２と、表示部２３と、音源回路部２４と、スピーカ２５と、ハードキー２６と、タッチパネル２７と、位置検出部２８と、インターフェース部２９とを備えている。そして、ＧＰＳ部、ジャイロセンサ、車速センサ、ギアセンサ、後方撮影カメラ（何れも図示せず）がナビゲーション装置１０に対しインターフェース部１４を介して接続されている。
【００２２】
なお、本実施例では、ＧＰＳ部とジャイロセンサは車両に設けられており、ナビゲーション装置１０は、インターフェース部１４を介してＧＰＳ信号とジャイロ信号を受信する構成となっているが、これに限るものではなく、ＧＰＳ部とジャイロセンサをナビゲーション装置１０内に設けた構成としても構わない。
【００２３】
ＧＰＳ部は、受信アンテナ及びチューナ等で構成されており、ＧＰＳ衛星から受信した電波を処理して測位用データを取り出す。取り出された測位用データはＧＰＳ信号としてインターフェース部１４を介して制御部１５に送られる。制御部１５は、ＧＰＳ部から送られた測位用データに基づいて車両の現在位置を特定する。ナビゲーション装置１０は、所謂ハイブリッド方式を採用しており、車両の向きを検知するためのジャイロセンサと、車両の走行速度を検知するための車速センサも併用する。車速センサは車両に備えられているものを用いてもよい。ジャイロセンサ及び車速センサの検知信号であるジャイロ信号及び車速信号はインターフェース部１４を介して制御部１５に送られ、制御部１５はそれらの信号に基づいて車両の向きや速度を特定する。
【００２４】
ギアセンサは、シフトレバーの位置を示すギア信号を車両から取得する。ギア信号はインターフェース部１４を介して制御部１５に送られ、制御部１５はギア信号に基づいてシフトレバーの位置を特定する。
【００２５】
後方撮影カメラとしては、車両の後方を撮影可能なカメラであれば、車両の後部に取り付けられ後方を撮影するバックカメラ、サイドミラー等の車両の側部に取り付けられ側方及び後方を撮影するサイドカメラなどを用いることができる。撮影した画像は、画像信号であるカメラ信号として、インターフェース部１４を介して制御部１５に送られる。後方の画像としては、バックカメラ及びサイドカメラの画像を併用することも可能である。
【００２６】
また、制御部１５は、ナビゲーション装置１０の制御を統括的に行うとともに、車両位置の特定や経路探索等の各種動作及び処理を実行する。また、制御部１５は、ナビゲーション装置１０が有する機能の一つである切り返しモード（後述）の制御も行う。制御部１５は、例えばマイクロコンピュータで構成されており、制御や動作の手順が記述された各種プログラムを実行するＣＰＵ１６と、ＣＰＵ１６で使用されるデータや、後述する記録媒体１９から読み出されてＣＰＵ１６で実行されるプログラムを一時的に記憶するＲＡＭ１７と、立ち上げや入出力等に関する基本的な制御を記述したプログラムやフォントデータ等を記憶するＲＯＭ１８とを含んでいる。これらＣＰＵ１６、ＲＡＭ１７、ＲＯＭ１８等は、バス（不図示）を介して接続されている。
【００２７】
記録媒体１９には、ハードディスク、メモリーカード、光ディスク等を採用できる。記録媒体１９には、誘導画面の表示や経路探索などに必要となる地図データベースと、ナビゲーション装置１０の各種動作を記述したプログラムとが格納されている。そして、制御部１５は、記録媒体１９からドライブ部２０を介してこのプログラムを読み出して実行する。地図データベースには、道路、施設（駐車場や店舗など）、背景等の情報を含む地図データ、地図データに基づいて地図や誘導画面を描画する際に参照される描画パラメータ、各種検索にて参照される索引データ、経路誘導用やその他の用途の音声の生成に使用される音声データ等が含まれている。そして、制御部１５は、実行する動作に必要なデータを地図データベースから部分的に取り出して参照する。
【００２８】
また、後述する切り返しモードで用いる予め登録された地点がＲＯＭ１８又は記録媒体１９に記録されている。
【００２９】
描画部２１は、描画専用のＣＰＵ等を含むＩＣチップであって、制御部１５からの指示に基づいて、誘導画面の画像データ、操作画面の画像データ、後方撮影カメラの画像データを加工した駐車誘導用の画像データ等を作成する。描画部２１で作成された画像データは、表示制御部２２に送られ、表示制御部２２が有するＲＡＭに記憶される。表示制御部２２は、記憶した画像データに基づいて表示部２３に画像表示用の信号を送り、表示部２３の表示領域に画像データに係る画面を表示させる。表示部２３には、ＬＣＤや有機ＥＬディスプレイなどが用いられる。
【００３０】
音源回路部２４は、制御部１５から送られた音声データに基づいて、経路誘導用やその他の用途のアナログ音声信号を生成する。生成されたアナログ音声信号は、スピーカ２５で再生される。
【００３１】
ハードキー２６は、電源のオン／オフをする電源キーや音量調整用のキー等を含んでいる。ハードキー２６を構成するキーの１つが押下されると、そのキーの押下を通知する信号がインターフェース部２９を介して制御部１５に送られる。
【００３２】
タッチパネル２７は、例えば、格子状に配置された透明な電極を有する感圧式のパネルであって、表示部２３の表示領域上に配設される。タッチパネル２７が押下されると、位置検出部２８は、タッチパネル２７から送られた電圧信号に基づいて、押下された位置の座標情報を通知する信号を生成する。この信号は、インターフェース部２９を介して制御部１５に送られる。
【００３３】
次に、ナビゲーション装置１０が有する機能の１つである切り返しモードについて説明する。切り返しモードとは、現在地が予め登録された地点に位置する場合に、後退ギアが選択されると表示部２３に後方撮影カメラで撮影した画像の表示を開始し、後退ギア以外のギアに変更されても後方撮影カメラで撮影した画像の表示を継続する、という制御を制御部１５が実行するものである。
【００３４】
なお、本発明において、前進ギアとは、オートマチックトランスミッション車の場合はＤ（ドライブ）、２（セカンド）、１（ロー）など、マニュアルトランスミッション車の場合は１〜６など、車両を前進させる時に選択されるシフト位置に対応したギアを指し、一方、後進ギアとは、Ｒ（リバース）など、車両を後退させる時に選択されるシフト位置に対応したギアを指す。
【００３５】
なお、選択されたギアの判定方法については、シフトレバーの位置に関わる信号を車両から取得してこれに基づき判定することができるが、その他の手法によって判定することができればこれに限定するものではない。
【００３６】
図２は、制御部１５が実行する切り返しモードに関する動作を示すフローチャートである。例えば、図３に示す画像例のように、前進ギアが選択された状態で表示部２３に現在地４０を地図に重畳して表示している場合に、ステップＳ１０において、制御部１５はギア信号に基づき後退ギアが選択されたか否かを判別する。後退ギアが選択されたかどうかは、ギア信号の１つである後退ギア信号を受信したかどうかで判別できる。
【００３７】
ステップＳ１０において後退ギアが選択された場合、ステップＳ１１へ進んで後方撮影カメラで撮影した画像の表示を開始する。すなわち、表示部２３の表示を図３の画像から図４の後方撮影カメラ画像に切り替える。なお、画像の切り替え時に生じるタイムラグの間は、例えば、図５に示す黒画となる。
【００３８】
次に、ステップＳ１１からステップＳ１２へ進んで、制御部１５は現在地が予め登録された地点に位置するか否かを判別する。予め登録された地点とは、駐車場がある地点又は駐車場があると推測される地点であり、製造時に記録媒体１９に登録された地点であってもよいし、ユーザによって登録された地点であってもよい。登録された地点とは、例えば、駐車場、経路案内時の目的地、店舗、自宅、勤務先などが挙げられる。図３は現在地４０が駐車場内に位置している場合を示している。
【００３９】
ユーザによって自宅や勤務地等が登録された場合、続けて切り返しモードに登録するか否か選択する画面を表示して選択を促すようにすると使い勝手がよい。そして、切り返しモードに登録することが選択された場合は、その地点の緯度及び経度を中心として数メートル又は数十メートルの半径内を、切り返しモードの適用範囲とすればよい。なお、製造時に登録された地点の場合も、同様にその地点の緯度及び経度を中心として数メートル又は数十メートルの半径内を、切り返しモードの適用範囲としてもよい。また、製造時に地点を登録する場合やユーザが地点を登録する場合、登録地点の形状がわかっているときは、その形状の範囲内を切り返しモードの適用範囲として登録すれば精度が向上する。
【００４０】
ステップＳ１２において制御部１５が現在地が予め登録された地点に位置していると判別した場合、受信した信号に基づき後退ギアから後退ギア以外に変更されたと判定しても後方撮影カメラで撮影した画像の表示を継続する（ステップＳ１３）。
【００４１】
次に、切り返しモードの解除条件が満たされた場合（ステップＳ１４）、ステップＳ１５へ進んで制御部１５は切り返しモードを解除し、それぞれの操作に応じた画像の表示に切り替える。
【００４２】
ここでの解除条件としては、シフト位置がＰ（パーキング）位置にされた場合、ナビゲーション装置１０の操作がされた場合、キーのオフによりエンジンが停止された場合、所定速度（例えば２０ｋｍ／ｈ）以上で前進した場合、又は現在地が予め登録された地点から外れた場合などが挙げられ、これらの１つ以上の条件を採用すればよい。
【００４３】
例えば、解除条件としてシフト位置がＰ位置にされることを採用した場合、シフト位置がＰ位置に切り替えられると、制御部１５は駐車動作が終了したと判断して現在地を重畳した地図表示に戻す。また、解除条件としてナビゲーション装置１０の操作がされたことを採用した場合、タッチパネル２７に触れられたりハードキー２６が操作されたりするなどの操作がされると、制御部１５はユーザが他の表示を望んでいると判断してそれぞれの操作に応じた画像を表示する。また、解除条件として所定速度以上で前進したことを採用した場合、所定速度以上で前進すると、制御部１５は駐車動作を取りやめたと判断して現在地を重畳した地図表示に戻す。また、解除条件として現在地が予め登録された地点から外れたことを採用した場合、例えば駐車場から出ると、制御部１５は駐車動作を取りやめたと判断して現在地を重畳した地図表示に戻す。
【００４４】
一方、ステップＳ１２において現在地が予め登録された地点に位置していない場合は、制御部１５は駐車動作中ではないと判断して、切り返しモードではなく通常の動作でステップＳ１６へ進んで受信した信号に基づき後退ギアから後退ギア以外に変更されたか否かを判別する。ステップＳ１６において後退ギア以外（例えばＤ）に変更された場合、ステップＳ１７へ進んで現在地を重畳した地図表示に戻す。
【００４５】
なお、ステップＳ１２をステップＳ１０の前に行うようにしてもよい。その場合、ステップＳ１１からステップＳ１３へ進むようにし、ステップＳ１６及びＳ１７は省略でき、ステップＳ１２でＮの場合ステップＳ１２の処理を一定間隔（一定時間間隔又は一定距離移動毎）で繰り返すようにすればよい。
【００４６】
このように、ナビゲーション装置１０によれば、後退ギアが選択され、且つ現在地が予め登録された地点に位置する場合、後方撮影カメラで撮影した画像の表示を開始し、後退ギアから後退ギア以外に変更されても後方撮影カメラで撮影した画像の表示を継続することにより、少なくとも駐車動作中は後方撮影カメラの映像を表示し続けることになり、スムーズな駐車を支援することができる。
【００４７】
また、本発明はソフトウェアの変更のみで実現できるのでコストアップすることなく搭載できる。
【産業上の利用可能性】
【００４８】
本発明は、車載用のポータブル型又は固定型であって、後方撮影カメラで撮影した画像を表示する機能を有するナビゲーション装置に利用することができる。
【符号の説明】
【００４９】
１０  ナビゲーション装置
１４  インターフェース部
１５  制御部
１６  ＣＰＵ
１７  ＲＡＭ
１８  ＲＯＭ
１９  記録媒体
２０  ドライブ部
２１  描画部
２２  表示制御部
２３  表示部
２４  音源回路部
２５  スピーカ
２６  ハードキー
２７  タッチパネル
２８  位置検出部
２９  インターフェース部
【図１】
2012093229.tif 000003
【図２】
2012093229.tif 000004
【図３】
2012093229.tif 000005
【図４】
2012093229.tif 000006
【図５】
2012093229.tif 000007